(57)【特許請求の範囲】
【請求項１】
サンバイザ本体の片側面に化粧用ミラーユニットが装着された車両用サンバイザであって、
前記サンバイザ本体の片側面には、前記化粧用ミラーユニットが、そのミラーケースにおいて嵌込まれるミラー装着凹部が形成され、
前記サンバイザ本体の反対側面には、前記ミラー装着凹部の底部を間に挟みかつ取付手段を介して前記化粧用ミラーユニットを装着する装着プレートが配設され、
前記取付手段は、前記ミラー装着凹部の底部の一端部寄りに貫設された組付孔を通しかつ前記ミラーケースと前記装着プレートに跨って締め付けられる所要数の取付ネジと、
前記ミラー装着凹部の底部の他端部寄りに貫設された組付孔を通して相互に係合する係合突片と受止片とを備えている車両用サンバイザ。
【請求項２】
請求項１に記載の車両用サンバイザであって、サンバイザ本体の反対側面と装着プレートとの間には、カード類が出し入れ可能に収納されるカード収納室が形成されている車両用サンバイザ。
【請求項３】
請求項２に記載の車両用サンバイザであって、装着プレートには、カード収納室のカード類を弾性的に保持するための弾性保持片が形成されている車両用サンバイザ。
【発明の詳細な説明】
【０００１】
【発明の属する技術分野】
この発明はサンバイザ本体の片側面に化粧用ミラーユニットが装着された車両用サンバイザに関する。
【０００２】
【従来の技術】
この種の車両用サンバイザにおいて、図５と図６に示すように、サンバイザ本体１１０の片側面に凹設されたミラー装着凹部１１３に対し、化粧用ミラーユニット１２０を、そのミラーケース１２１において装着するために、ミラー装着凹部１１３の底部１１４の一端部寄りには、所要数のナット１５２が溶接によって固着された取付板１５０が装着され、底部１１４の他端部近傍には受止板１６０が配設される。
取付板１５０及び受止板１６０はそれぞれ金属板のプレス成形品であり、これら取付板１５０及び受止板１６０の各上下両端部は、サンバイザ本体１１０の周縁部に内設の環状の骨枠１１１の上下部に跨ってそれぞれ溶接によって固定されている。
【０００３】
また、図５と図６に示すように、ミラーケース１２１の一側寄りに形成されたランプ収納室１２３の底板部１２４には、所要数のナット１５２に対応する位置において取付孔が貫設され、同ミラーケース１２１の他側には所要数の係合突片１２７が突設されている。
そして、ミラーケース１２１は、その係合突片１２７が受止板１６０に係合されながらミラー装着凹部１１３に嵌込まれる。その後、所要数の取付ネジ１２６がランプ収納室１２３の底板部１２４の取付孔を通してナット１５２にそれぞれねじ込まれることで、ミラー装着凹部１１３に化粧用ミラーユニット１２０が装着されるようになっている。
【０００４】
【発明が解決しようとする課題】
ところで、前記した従来の車両用サンバイザにおいて、サンバイザ本体１１０のミラー装着凹部１１３に対し、化粧用ミラーユニット１２０を、そのミラーケース１２１において装着するために、あらかじめ、取付板１５０と受止板１６０とをそれぞれ金属板のプレス成形によってそれぞれ個別に製作する必要性があった。
また、取付板１５０には所要数のナット１５２を正確に位置決めして溶接し、さらに、取付板１５０と受止板１６０とを環状の骨枠１１１の所定位置に正確に位置決めして溶接しなければならない。
このようなことから、従来においては、サンバイザ本体１１０の片側面に対し、化粧用ミラーユニット１２０を装着するために、部品点数や組付工数が多くなりコスト高となる問題点があった。
【０００５】
この発明の目的は、前記従来の問題点に鑑み、サンバイザ本体の片側面に対し化粧用ミラーユニットを簡単な構造によって容易に装着することができ、コスト低減を図ることができる車両用サンバイザを提供することである。
【０００６】
【課題を解決するための手段】
前記目的を達成するために、第１の発明は、請求項１に記載のとおりの構成を要旨とする。
したがって、サンバイザ本体のミラー装着凹部に対し、化粧用ミラーユニットのミラーケースを嵌込んで装着する場合、サンバイザ本体のミラー装着凹部とは反対側面に配設される装着プレートによってミラーケースが取付手段を介しかつミラー装着凹部の底部を間に挟んで容易に装着される。
このため、従来と異なり、取付板と受止板とをそれぞれ金属板のプレス成形によってそれぞれ個別に製作した後、これら取付板と受止板とを、環状の骨枠の所定位置に正確に位置決めして溶接する必要性を解消することができ、部品点数や組付工数を軽減することができる。
【０００７】
また、サンバイザ本体のミラー装着凹部の底部の一端部寄りに貫設された組付孔を通しかつミラーケースと装着プレートに跨って所要数の取付ネジを締め付ける一方、ミラー装着凹部の底部の他端部寄りに貫設された組付孔を通して係合突片と受止片とを相互に係合することで、サンバイザ本体のミラー装着凹部に対し化粧用ミラーユニットを容易かつ確実に装着することができる。
【０００８】
第２の発明は、請求項２に記載のとおりの構成を要旨とする。
したがって、サンバイザ本体の反対側面と装着プレートとの間に構成されたカード収納室に対し各種のカード類を出し入れ可能に収納することができる。このため、サンバイザ本体に対し専用のカードホルダを組み付け手間を省くことができる。
【０００９】
第３の発明は、請求項３に記載のとおりの構成を要旨とする。
したがって、装着プレートの弾性保持片によって、カード収納室に収納されたカード類を弾性的に保持することができ、カード収納室に収納されたカード類が不測に脱落する不具合を防止することができる。
【００１０】
【発明の実施の形態】
この発明の実施の形態を図１〜図４にしたがって説明する。
図２において、車両用サンバイザ１は、支軸２とサンバイザ本体１０とを備えている。支軸２は略Ｌ字状をなし、その縦軸部３において取付ブラケット５によって車室天井面の前縁部に装着されている。
支軸２の横軸部４には、サンバイザ本体１０が回動可能に嵌挿されている。そして、サンバイザ本体１０は、横軸部４の軸回りに回動操作されることで、車室の天井面に沿う格納位置と、フロントガラスに沿う遮光位置とに配置切り換えされるようになっている。
サンバイザ本体１０は、ウレタン発泡、ポリプロピレンビーズ発泡等による発泡成形体よりなり、かつ所望とする形状に一体成形されている。
また、サンバイザ本体１０の内部周縁部には、そのサンバイザ本体１０の成形と同時に、環状の骨枠１１が内設され、同サンバイザ本体１０の一側隅部には、横軸部４が回動可能に嵌挿される軸受け孔を有する軸受け部材１２が環状の骨枠１１に固定された状態で内設されている。
【００１１】
図１に示すように、サンバイザ本体１０の片側面（遮光位置に配置されたときに車室側に向く面）の略中央部には、化粧用ミラーユニット２０がそのミラーケース２１において嵌込まれる略四角形状のミラー装着凹部１３が形成されている。
ミラー装着凹部１３の底部１４には、その一端部（図１に向かって左側）寄りおいて上下２つの組付孔１５が貫設され、他端部寄りにおいて縦長四角形の組付孔１６が貫設されている。
また、サンバイザ本体１０の反対側面の略中央部には、ミラー装着凹部１３に対応する位置において、そのミラー装着凹部１３の底部１４と略同じ大きさの浅底凹部が形成されている。なお、ミラー装着凹部１３、組付孔１５、１６及び浅底凹部は、サンバイザ本体１０の成形と同時に形成することができる。また、サンバイザ本体１０の表面は、ミラー装着凹部１３の底部１４に対応する部分が切除された外装表皮４０によって被覆されている。
【００１２】
図３に示すように、サンバイザ本体１０のミラー装着凹部１３には、化粧用ミラーユニット２０がそのミラーケース２１において嵌込まれ、装着プレート３０を介して装着される。ミラーケース２１は、合成樹脂の射出成形に形成され、その略中央部の前面のミラー装着窓にはミラー２２が装着されている。さらに、ミラーケース２１には、そのミラー装着窓の片側に隣接してランプ収納室２３が形成されている。このランプ収納室２３の底板部２４には、図示しない照明ランプが組み付けられ、ランプ収納室２３の前方開口部にはレンズ２５が着脱可能に嵌込まれている。
【００１３】
また、ミラーケース２１のランプ収納室２３の底板部２４には、サンバイザ本体１０のミラー装着凹部１３の上下２つの組付孔１５に対応する位置に上下２つの取付孔４１がそれぞれ貫設されている。
また、ミラーケース２１には、そのランプ収納室２３と反対側の側壁外面に所要数の係合突片２７が互いに平行して突設されている。
なお、図１と図２に示すように、ミラーケース２１には、ミラーケース２１の前面を覆うカバー体２８がヒンジ手段２９によって開閉可能に装着されている。
【００１４】
サンバイザ本体１０のミラー装着凹部１３とは反対側面に凹設された浅底凹部には、ミラー装着凹部１３の底部１４を間に挟みかつ取付手段を介して化粧用ミラーユニット２０を装着する装着プレート３０が配設されている。
装着プレート３０は、合成樹脂の射出成形等によって、浅底凹部と略同じ大きさの四角形でかつ浅底凹部の深さ寸法と略同じ板厚寸法を有する平板状に形成されている。
【００１５】
図１と図３に示すように、装着プレート３０の内側面の一端部寄りには、上下２つの組付孔１５にそれぞれ嵌挿される上下２つの取付ボス３１が突設されている。これら取付ボス３１には、取付ネジ２６に対応するネジ孔が形成されて、装着プレート３０が浅底凹部に嵌込まれたときには、各取付ボス３１の先端面はミラー装着凹部１３の底部１４の底面と略同一面をなしてそれぞれ露出するようになっている。
装着プレート３０の内側面の他端部寄りには、縦長四角形の組付孔１６を通してミラー装着凹部１３内に突出し、かつミラーケース２１の係合突片２７に係合可能な断面略鉤形状の受止片３２が形成されている。
【００１６】
また、この実施の形態において、装着プレート３０の内側面の略中央部には、テレホンカード、有料道路通行券等のカード類に対応する幅を有する収納凹部３５が形成されている。
収納凹部３５は、装着プレート３０の一端から他端部部近傍にわたって形成されるとともに、一端側が深く他端側に向けてしだいに浅くなるように傾斜状に形成されている。そして、装着プレート３０がサンバイザ本体１０の浅底凹部に嵌込まれたときには、その装着プレート３０の収納凹部３５とサンバイザ本体１０の浅底凹部との間には、一端の開口部を出入口としてカード類が出し入れ可能に収納されるカード収納室３４が構成されるようになっている。
また、装着プレート３０の収納凹部３５には、略Ｕ字状に切り込まれた切込溝３７によって弾性保持片３６が一体に形成されている。この弾性保持片３６は、カード収納室３４に対し傾斜状をなして弾性変形可能に突出し、カード収納室３４に収納されたカード類を弾性的に保持するようになっている。
【００１７】
すなわち、この実施の形態に係る車両用サンバイザ１において、サンバイザ本体１０のミラー装着凹部１３に対し化粧用ミラーユニット２０を、そのミラーケース２１において装着する場合、まず、サンバイザ本体１０のミラー装着凹部１３とは反対側面に凹設された浅底凹部に対し、装着プレート３０が嵌込まれる。この際、装着プレート３０の上下２つの取付ボス３１が上下２つの組付孔１５にそれぞれ嵌挿され、同装着プレート３０の受止片３２が縦長四角形の組付孔１６に挿通されてミラー装着凹部１３内に突出される。
【００１８】
この状態において、図４の（Ａ）に示すように、サンバイザ本体１０のミラー装着凹部１３に対し、ミラーケース２１が斜めの状態にされ、その係合突片２７が装着プレート３０の受止片３２に差し込まれて係合される。引き続いて、図４の（Ｂ）に示すように、ミラーケース２１がミラー装着凹部１３に嵌込まれる。なお、ミラー装着凹部１３に対しミラーケース２１を嵌込む際、ランプ収納室２３の開口部に対しレンズ２５が取り外された状態で行われる。
【００１９】
ここで、図３に示すように、ミラーケース２１のランプ収納室２３の底板部２４上下２つの取付孔４１を通して取付ネジ２６が取付ボス３１のネジ孔にそれぞれねじ込まれることで、ミラーケース２１がミラー装着凹部１３の底部１４を間に挟みかつ取付手段を介して装着プレート３０によって装着される。
すなわち、この実施の形態において、取付手段は、２つの取付ネジ２６と、係合突片２７及び受止片３２によって構成される。
最後に、ランプ収納室２３の開口部に対しレンズ２５が取り付けられることで、サンバイザ本体１０のミラー装着凹部１３に対する化粧用ミラーユニット２０の装着が完了する。
【００２０】
前記したようにサンバイザ本体１０のミラー装着凹部１３に対し、化粧用ミラーユニット２０を装着することができる。このため、従来と異なり、取付板と受止板とをそれぞれ金属板のプレス成形によってそれぞれ個別に製作した後、これら取付板と受止板とを、環状の骨枠の所定位置に正確に位置決めして溶接する必要性を解消することができ、部品点数や組付工数を軽減してコスト低減を図ることができる。
【００２１】
また、この実施の形態において、装着プレート３０の収納凹部３５とサンバイザ本体１０の浅底凹部との間に構成されたカード収納室３４に対し各種のカード類を出し入れ可能に収納することができる。このため、サンバイザ本体１０に対し専用のカードホルダを組み付け手間を省くことができる。
さらに、装着プレート３０に一体に形成された弾性保持片３６によって、カード収納室３４に収納されたカード類を弾性的に保持することができ、カード収納室３４に収納されたカード類が不測に脱落する不具合を防止することができる。
【００２２】
なお、この発明は前記実施の形態に限定するものではない。例えば、前記実施の形態においては、サンバイザ本体１０がウレタン発泡、ポリプロピレンビーズ発泡等の発泡成形体より構成される場合を例示したが、発泡成形体の他、熱可塑性合成樹脂のブロー成形体によってサンバイザ本体１０を中空状に構成しても実施可能である。
【００２３】
【発明の効果】
以上述べたように、この発明によれば、サンバイザ本体の片側面のミラー装着凹部に対し化粧用ミラーユニットを簡単な構造によって容易に装着することができ、コスト低減を図ることができる。
【図面の簡単な説明】
【図１】  この発明の実施の形態に係る車両用サンバイザのサンバイザ本体と、化粧用ミラーユニットと装着プレートとを分離した状態を示す斜視図である。
【図２】  同じくサンバイザ本体のミラー装着凹部に化粧用ミラーユニットを装着した状態を示す斜視図である。
【図３】  同じく図２のＩＩＩ−ＩＩＩ線に基づくサンバイザ本体の長手方向の断面図である。
【図４】  同じくサンバイザ本体のミラー装着凹部に化粧用ミラーユニットを装着する工程を順に示す説明図である。
【図５】  従来の車両用サンバイザのサンバイザ本体と、化粧用ミラーユニットとを分離した状態を示す斜視図である。
【図６】  同じく図５のＶＩ−ＶＩ線に基づいてサンバイザ本体のミラー装着凹部に化粧用ミラーユニットを装着した状態を示す断面図である。
【符号の説明】
１０  サンバイザ本体
１３  ミラー装着凹部
１４  底部
１５  組付孔
１６  組付孔
２０  化粧用ミラーユニット
２１  ミラーケース
２４  底板部
２６  取付ネジ
２７  係合突片
３０  装着プレート
３１  取付ボス
３２  受止片
３４  カード収納室
３６  弾性保持片
【図１】
0004307627.tif 000002
【図２】
0004307627.tif 000003
【図３】
0004307627.tif 000004
【図４】
0004307627.tif 000005
【図５】
0004307627.tif 000006
【図６】
0004307627.tif 000007